(57)【要約】【課題】ブライダル、葬儀、パーティー等の各種イベントに関する写真を迅速かつ安価に提供することができるイベント写真提供システム及び方法の提供を目的とするものである。【解決手段】本発明のイベント写真提供システム１は、イベントに関する画像データを取得する画像取得手段２と、この画像データを加工する画像加工手段３と、画像送信手段で送信する加工画像データ又は画像印刷手段で印刷する加工画像データの選択情報を取得する選択情報取得手段４と、提供写真に添付するメッセージ情報を取得するメッセージ情報取得手段５と、プリンターを用いて加工画像データから提供写真を印刷する画像印刷手段６と、加工画像データをネットワークを介して送信可能に構成する画像送信手段７とを備えている。【選択図】  図１
2005055986.tif 000002
【特許請求の範囲】
【請求項１】
イベントに関する画像データを取得する画像取得手段と、
この画像データを加工する画像加工手段と、
プリンターを用い、加工画像データから提供写真を印刷する画像印刷手段と
を備えるイベント写真提供システム。
【請求項２】
上記加工画像データをネットワークを介して送信可能に構成する画像送信手段をさらに備える請求項１に記載のイベント写真提供システム。
【請求項３】
上記写真に添付するメッセージ情報を取得するメッセージ情報取得手段をさらに備える請求項１又は請求項２に記載のイベント写真提供システム。
【請求項４】
上記画像送信手段で送信する加工画像データ又は画像印刷手段で印刷する加工画像データの選択情報を取得する選択情報取得手段をさらに備える請求項１、請求項２又は請求項３に記載のイベント写真提供システム。
【請求項５】
イベントに関する画像データを取得する画像取得ステップと、
この画像データを加工する画像加工ステップと、
プリンターを用い、加工画像データから写真を印刷する画像印刷ステップと、
印刷した写真をメッセージ情報と共にイベントの出席者又は関係者に提供する写真提供ステップと
を有するイベント写真提供方法。
【請求項６】
第三者からのアクセスに応じ、上記加工画像データをネットワークを介してその者に送信する画像送信ステップをさらに有するイベント写真提供方法。
【請求項７】
上記写真に添付するメッセージ情報を取得するメッセージ情報取得ステップをさらに有する請求項５又は請求項６に記載のイベント写真提供方法。
【請求項８】
上記画像送信ステップで送信する加工画像データ又は画像印刷ステップで印刷する加工画像データの選択情報を取得する選択情報取得ステップをさらに有する請求項５、請求項６又は請求項７に記載のイベント写真提供方法。
【請求項９】
上記写真提供ステップにおいて、写真提供にフォトフレーム機能付き封筒を用いる請求項５から請求項８のいずれか１項に記載のイベント写真提供方法。
【請求項１０】
上記写真提供ステップにおいて、写真提供に封筒型フォトフレームを用いる請求項５から請求項８のいずれか１項に記載のイベント写真提供方法。
【発明の詳細な説明】
【０００１】
【発明の属する技術分野】
本発明は、結婚式、披露宴、葬儀、パーティー等の各種イベントにおいて、イベント風景等が描写された写真を出席者及び出席していない親族、友人等に提供するためのイベント写真提供システム及び方法に関するものである。
【０００２】
【従来の技術】
結婚式や披露宴のイベント風景を描写した記念写真の提供サービスとしては、従来、イベント会場と契約した専門の写真屋が担当し、非常に高い対価を必要としている。そのため、かかる記念写真は、親族等の近しい関係のある限定された者のみしか購入していない。
【０００３】
近年、結婚式、披露宴等のイベントは様々な趣向を凝らした演出がなされるようになり、親族等以外の出席者や出席していない友人、知人等の関係者においてもイベント風景を描写した写真の提供を低額で受けたいとの潜在的要求が高まっている。かかる要求を満たすためには、カメラを持参して個人的に写真を撮影したり、個人的に撮影した写真を焼き増しして貰うしかないのが現状である。
【０００４】
【発明が解決しようとする課題】
しかし、イベント出席者が個人的に撮影するのは、煩雑であり、イベントの楽しさを十分享受できず、さらに自分が入っている風景が少なくなるという不都合がある。また、個人的に撮影した写真の焼き増しを依頼するのは、提供を受けるまでに相当の時間が必要であり、イベントの喜びや感動が半減してしまうという不都合がある。
【０００５】
本発明はこれらの不都合に鑑みてなされたものであり、ブライダル、葬儀、パーティー等の各種イベントに関する写真を迅速かつ安価に提供することができるイベント写真提供システム及び方法の提供を目的とするものである。
【０００６】
【課題を解決するための手段】
上記課題を解決するためになされた発明は、イベントに関する画像データを取得する画像取得手段と、この画像データを加工する画像加工手段と、プリンターを用いて加工画像データから提供写真を印刷する画像印刷手段とを備えるイベント写真提供システムである。
【０００７】
当該イベント写真提供システムは、画像取得手段と画像印刷手段とを備えていることから、イベントに関する画像を印刷した写真を迅速かつ安価に提供することができる。また、当該イベント写真提供システムは、画像加工手段を備えていることから、取得した画像データをイベント内容に応じてアレンジし、イベントの喜びや感動を増幅するような写真を提供することができる。
【０００８】
上記加工画像データをネットワークを介して送信可能に構成する画像送信手段をさらに備えるとよい。かかる画像送信手段を備えることで、インターネット等のネットワークを介して出席していないイベント関係者等に迅速かつ安価にイベントに関する写真を提供することができる。
【０００９】
上記写真に添付するメッセージ情報を取得するメッセージ情報取得手段をさらに備えるとよい。かかるメッセージ情報取得手段を備えることで、写真と共にメッセージ情報を提供することができ、イベントの喜びや感動をさらに増幅することができる。
【００１０】
上記画像送信手段で送信する加工画像データ又は画像印刷手段で印刷する加工画像データの選択情報を取得する選択情報取得手段をさらに備えるとよい。かかる選択情報取得手段を備えることで、イベントに関する画像データの中から主催者等の任意で提供する写真の画像が選択でき、当該イベント写真提供システムで実現するサービスの価値が向上する。
【００１１】
また、上記課題を解決するためになされた別の発明は、イベントに関する画像データを取得する画像取得ステップと、この画像データを加工する画像加工ステップと、プリンターを用いて加工画像データから写真を印刷する画像印刷ステップと、印刷した写真をメッセージ情報と共にイベントの出席者又は関係者に提供する写真提供ステップとを有するイベント写真提供方法である。当該イベント写真提供方法は、上記イベント写真提供システムと同様に、イベントに関する画像を印刷した写真を迅速かつ安価に提供することができ、イベントの喜びや感動を増幅するような写真を提供することができる。
【００１２】
また、上記イベント写真提供システムと同様に、第三者からのアクセスに応じて上記加工画像データをネットワークを介してその者に送信する画像送信ステップ、上記画像送信ステップで送信する加工画像データ又は画像印刷ステップで印刷する加工画像データの選択情報を取得する選択情報取得ステップ、又は上記写真に添付するメッセージ情報を取得するメッセージ情報取得ステップをさらに有するとよい。
【００１３】
さらに、上記写真提供ステップにおいて、写真提供にフォトフレーム機能付き封筒又は封筒型フォトフレームを用いるとよい。フォトフレーム機能付き封筒及び封筒型フォトフレームによれば、提供を受けた写真を入れて部屋等に展示することができ、イベントの喜びや感動を現すことができる。
【００１４】
【発明の実施の形態】
以下、適宜図面を参照しつつ本発明の実施の形態を詳説する。図１は本発明の一実施形態に係るイベント写真提供システムの構成を示すブロック図、図２は図１のイベント写真提供システムによる手順（イベント写真提供方法）を示すフローチャートである。
【００１５】
図１のイベント写真提供システム１は、画像取得手段２、画像加工手段３、選択情報取得手段４、メッセージ情報取得手段５、画像印刷手段６及び画像送信手段７を備えている。このイベント写真提供システム１は、具体的にはＣＰＵなどからなる制御部、ＲＯＭ、ＲＡＭ、ハードディスク、モニター、キーボード、スキャナー、プリンターなどを備えるコンピューターにより構成されている。この画像取得手段２、画像加工手段３、選択情報取得手段４、メッセージ情報取得手段５、画像印刷手段６及び画像送信手段７は、ＲＯＭ、ハードディスク等の記録手段に記録されているコンピュータプログラムに基づいて制御部が各部を制御することで機能するよう構成されている。
【００１６】
画像取得手段２は、結婚式、披露宴、葬儀、パーティー等の各種イベントに関する画像データを取得する。この画像データとしては、イベント中の風景が描写されたものでもよいし、イベント主催者がイベント前に用意したものでもよい。画像取得手段２の具体的な画像データ取得方法としては、特に限定されず、例えば（ａ）デジタルカメラで撮影し、得られた画像データを当該イベント写真提供システム１に入力する方法、（ｂ）過去の写真等をスキャナーで読み取ることで画像データに変換する方法などがある。
【００１７】
画像加工手段３は、画像取得手段２で取得した画像データを加工する。この画像データの加工方法としては、特に限定されず、例えば合成、修正、切り抜き（トリミング）、色調やコントラストの変更、ぼかしやシャープの付加、種々の枠模様の付加、文字の付加等がある。この画像加工手段３により、イベント内容に応じて画像をアレンジし、イベントの喜びや感動を増幅するような写真を提供することができる。
【００１８】
選択情報取得手段４は、画像送信手段７で送信する加工画像データ又は画像印刷手段６で印刷する加工画像データの選択情報を取得する。この選択情報取得手段４により、イベント主催者等の任意で好ましいと思う写真を提供することができ、提供を受ける者毎に写真を換えることも可能である。この選択情報取得手段４は、当該イベント写真提供システム１とネットワークで接続された端末からの入力によって選択情報を取得することも可能であり、写真提供の迅速性及び任意性が向上する。
【００１９】
メッセージ情報取得手段５は、提供写真に添付するためのメッセージ情報を取得する。このメッセージ情報とは、写真の提供を受ける者（イベント出席者等）にイベント主催者が伝えたい気持ち（お礼の言葉等）や新居案内などの情報である。このメッセージ情報取得手段５で取得したメッセージ情報は、提供写真に付加してもよいし、メッセージカードに記載し、このメッセージカードを写真に添付して提供してもよい。
【００２０】
画像印刷手段６は、プリンターを用い、加工画像データに基づいて写真８を印刷する。この画像印刷手段６で印刷した写真８は、イベント終了後又はイベント中に迅速に提供することができる。写真８の提供には、フォトフレーム機能付き封筒９、封筒型フォトフレーム１０、１１等が用いられる。
【００２１】
画像送信手段７は、加工画像データをネットワーク１２を介して送信可能に構成する。具体的には、当該イベント写真提供システム１は、画像送信手段７によってネットワーク１２を介して第三者の通信機器１３と接続可能に構成され、第三者にイベント写真を送信可能に構成されている。この通信機器１３としては、具体的にはパーソナルコンピューター、携帯電話、ＰＨＳ（パーソナルハンディホンシステム）、ＰＤＡ（携帯情報端末）等の画像データを受信可能なものが該当する。従って、このネットワーク１２は、携帯電話通信事業者が運営する携帯電話用の通信ネットワーク、インターネット、イントラネット等が該当し、特に限定されるものではない。この画像送信手段７により、イベントに参加できない友人、知人、親戚等の第三者にもイベント風景が描写された写真を迅速かつ安価に提供することができる。
【００２２】
上記構造を有するイベント写真提供システム１は、結婚式、披露宴、葬儀、パーティー等の各種イベントに関する写真を出席者及び出席していない関係者に提供するビジネスを遂行することができる。
【００２３】
次に、当該イベント写真提供システム１によるイベント写真提供方法を図２に従って説明する。当該イベント写真提供方法は、略順に画像取得ステップＳ１、画像加工ステップＳ２、選択情報取得ステップＳ３、メッセージ情報取得ステップＳ４、画像送信ステップＳ５、画像印刷ステップＳ６及び写真提供ステップＳ７を有している。
【００２４】
まず、イベント風景をデジタルカメラで撮影したり、イベント主催者が用意した写真をスキャナーで読み取ることで、イベントに関する画像データを当該イベント写真提供システム１に取得する（画像取得ステップＳ１）。取得した画像データに対し、トリミング、ぼかし、型抜き、枠付加等の加工を施す（画像加工ステップＳ２）。この加工画像データの中から、イベント主催者等の任意により画像送信ステップＳ５で送信する画像データ及び画像印刷ステップＳ６で印刷する画像データとして選択された情報を取得する（選択情報取得ステップＳ３）。また、提供する写真に添付するメッセージ情報をイベント主催者等から取得する（メッセージ情報取得ステップＳ４）。
【００２５】
次に、選択情報取得ステップＳ３で取得した選択情報に基づき、選択された画像データをネットワークを介してその者に送信可能に構成する（画像送信ステップＳ５）。この画像送信ステップＳ５は、ウェブサイトへのアップ等の手段が迅速性の面で好ましい。画像送信ステップＳ５において、メッセージ情報取得ステップＳ４で取得したメッセージ情報も送信可能に構成するとよい。これにより、イベントに参加していない友人、親戚等の第三者は、このウェブサイトへアクセスすること等によって、イベント主催者が提供する写真及びメッセージ情報の提供を受けることができる。
【００２６】
一方、選択情報取得ステップＳ３で取得した選択情報に基づき、プリンターを用いて選択された画像データを印刷し、提供する写真８を作成する（画像印刷ステップＳ６）。作成された写真８をメッセージ情報と共にイベントの出席者又は関係者に提供する（写真提供ステップＳ７）。メッセージ情報の提供方法としては、写真８に書き込んでもよいし、メッセージ情報が記入されたメッセージカードを印刷し、このメッセージカードを写真８と共に提供してもよい。
【００２７】
上記イベント写真提供方法により、結婚式、披露宴、葬儀、パーティー等の各種イベントに関する写真を出席者及び出席していない関係者に迅速かつ安価に提供するビジネスを遂行することができる。当該イベント写真提供方法において、写真８の提供にフォトフレーム機能付き封筒９又は封筒型フォトフレーム１０、１１を用いるとよい。
【００２８】
フォトフレーム機能付き封筒９は、特願２００２−３６０６８７に開示の発明と同様のもので、封筒としての基本的機能に加えてピクチャーフレームとしての機能をも有している。従って、フォトフレーム機能付き封筒９は、イベント後に写真８を郵送で提供するのに好適である。フォトフレーム機能付き封筒９は、具体的には、重畳された表シートと裏シートとを備える長方形状の封筒であり、（ａ）この表シート及び裏シートに連続して形成され、一方の短辺側を切除可能とするサイズ短縮用ミシン目１４と、（ｂ）表シートに形成され、中央部を開口可能とする開口用ミシン目１５と、（ｃ）表シート裏面に、上記開口用ミシン目１５により開口される中央部以外の領域で貼設される透明フィルム（図示していない）と、（ｄ）上記裏シートに形成され、スタンド片が形成可能なスタンド用ミシン目（図示していない）とを有している。このフォトフレーム機能付き封筒９によれば、サイズ短縮用ミシン目１４に沿って切断することで、同封の写真のサイズに適合させることができる。また、開口用ミシン目１５に沿って切断することで、当該封筒に封入した写真が外部から視認可能となる。さらに、スタンド用ミシン目に沿って切断し、このスタンド用ミシン目で囲まれるスタンド片を外側に曲折することで、裏シート側にスタンドが形成され、フォトフレーム機能付き封筒９をフォトスタンドとして使用することができる。つまり、当該フォトフレーム機能付き封筒９によれば、写真８の郵送の便に供された後にフォトフレームとして使用することができる。
【００２９】
なお図示していないが、当該フォトフレーム機能付き封筒９にはさらに自己粘着シートを備えるとよい。この自己粘着シートは、基材層、この基材層の裏面に積層される自己粘着処理層、基材層の表面側の中央部に積層される粘着剤層、及びこの粘着剤層の表面に積層される離型シートを備えている。当該自己粘着シートによれば、離型シートを剥離し、露出した粘着剤層を当該封筒の裏シートに貼設することで、当該封筒の裏面側を例えば部屋の窓ガラス、冷蔵庫の壁面等の平滑面に自在に貼り付けることができる。また、当該自己粘着シートは、自己粘着処理層が有する自己粘着性を用いているため、貼り直しが容易かつ自在に行え、貼り付け面を汚したり、傷つけることが防止される。
【００３０】
封筒型フォトフレーム１０は、シングルタイプのフォトフレームであり、イベント後に写真８を入れて手渡しで提供するのに好適である。封筒型フォトフレーム１０は、具体的には写真８が丁度入るサイズに形成された方形の封筒であり、（ａ）表シートに形成された開口１７と、この開口１７を被覆するよう表シート裏面に貼設された透明フィルム１８と、（ｃ）裏シートに形成され、スタンド片が形成可能なスタンド用ミシン目（図示していない）とを有している。この封筒型フォトフレーム１０によれば、写真８を入れて提供でき、提供後にフォトフレームやフォトスタンドとして使用することができる。
【００３１】
封筒型フォトフレーム１１は、ツインタイプのフォトフレームであり、イベント後に写真８及びメッセージカードを入れて手渡しで提供するのに好適である。封筒型フォトフレーム１１は、具体的には左右に封入可能部分を有し、その左右の封入可能部分に写真８及びメッセージカードが丁度入るサイズに形成された折り畳み式封筒であり、（ａ）左側表シートに形成された開口１９と、（ｂ）この開口１９を被覆するよう左表シート裏面に貼設された透明フィルム２０と、（ｃ）右側表シートに形成された開口２１と、（ｄ）開口２１を被覆するよう右側表シート裏面に貼設された透明フィルム２２とを有している。この封筒型フォトフレーム１１によれば、写真８及びメッセージカードを左右の封入可能部分に入れて提供でき、提供後にフォトフレームやフォトスタンドとして使用することができる。
【００３２】
【発明の効果】
以上説明したように、本発明のイベント写真提供システム及び方法によれば、結婚式、披露宴、葬儀、パーティー等の各種イベントにおいて、イベント風景等が描写された写真を出席者及び出席していない親族、友人等に迅速かつ安価に提供することができる。
【図面の簡単な説明】
【図１】本発明の一実施形態に係るイベント写真提供システムの構成を示すブロック図である。
【図２】図１のイベント写真提供システムによる手順（イベント写真提供方法）を示すフローチャートである。
【符号の説明】
１  イベント写真提供システム
２  画像取得手段
３  画像加工手段
４  選択情報取得手段
５  メッセージ情報取得手段
６  画像印刷手段
７  画像送信手段
８  写真
９  フォトフレーム機能付き封筒
１０、１１  封筒型フォトフレーム
１２  ネットワーク
１３  通信機器
１４  サイズ短縮用ミシン目
１５  開口用ミシン目
１７、１９、２１  開口
１８、２０、２２  透明フィルム
Ｓ１  画像取得ステップ
Ｓ２  画像加工ステップ
Ｓ３  選択情報取得ステップ
Ｓ４  メッセージ情報取得ステップ
Ｓ５  画像送信ステップ
Ｓ６  画像印刷ステップ
Ｓ７  写真提供ステップ
【図１】
2005055986.tif 000003
【図２】
2005055986.tif 000004